(57)【要約】【課題】子画面の面積値を画質調整のパラメータとして用いて画質調整し、子画面をより実映像に近い映像として表示できる映像表示装置の提供を目的とする。【解決手段】入力された前記映像信号を親画面用の映像信号と子画面用の映像信号とに分けるスイッチ部１０３と、入力装置から画質調整値、子画面の面積値及び位置情報の入力値を受け付ける入力制御部１１６と、子画面の面積値から映像表示装置の表示画面全体に対する子画面の面積比を算出する面積比演算部１１８と、画質調整値を基に親画面の画質を調整する親画面画質調整部１０６と、画質調整値と子画面の面積比とを基に、子画面の画質を調整する子画面画質調整部１０７と、親画面画質調整部１０６により画質調整された親画面の映像信号と子画面画質調整部１０７により画質調整された子画面の映像信号とを、子画面の位置情報を基に合成する信号合成部１１２と、を備えた。【選択図】図１
2008042268.tif 000002
【特許請求の範囲】
【請求項１】
複数の映像信号が入力されると、それぞれの映像信号を同一画面上に１つの親画面と複数の子画面として表示する映像表示装置であって、
入力された前記映像信号を親画面用の映像信号と少なくとも一つ以上の子画面用の映像信号とに分けるスイッチ部と、
入力装置から画質調整値、少なくとも1つ以上の子画面の面積値及び位置情報の入力値を受け付ける入力制御部と、
前記子画面の面積値から前記映像表示装置の表示画面全体に対する子画面の面積比を算出する面積比演算部と、
前記画質調整値を基に前記親画面の画質を調整する親画面画質調整部と、
前記画質調整値と前記子画面の面積比とを基に、前記子画面の画質を調整する少なくとも１つ以上の子画面画質調整部と、
前記親画面画質調整部により画質調整された前記親画面の映像信号と前記子画面画質調整部により画質調整された少なくとも１つ以上の前記子画面の映像信号とを、前記子画面の位置情報を基に合成する信号合成部と、を備えたことを特徴とする映像表示装置。
【請求項２】
前記面積比演算部が、前記映像表示装置の表示画面全体の面積値を保持しており、前記各子画面の面積値を被除数、前記映像表示装置の表示画面全体の面積値を除数として除算し、各子画面の面積比を算出することを特徴とする請求項１に記載の映像表示装置。
【請求項３】
前記子画面画質調整部が、前記子画面の面積比に応じて、前記映像表示装置の表示画面における前記子画面が明るく、鮮やかに、はっきりと見えるよう前記画質調整値を修正した修正値を基に前記子画面用の映像信号の画質を調整することを特徴とする請求項１に記載の映像表示装置。
【請求項４】
前記親画面画質調整部並びに前記子画面画質調整部が、入力された前記映像信号に対してコントラスト、ブライトネス、明度、彩度、輝度、及び色差のうち、少なくとも１つ以上の調整を行うことを特徴とする請求項１に記載の映像表示装置。
【請求項５】
前記親画面画質調整部並びに前記子画面画質調整部が、入力された前記映像信号がコンポーネント信号であった場合、前記映像信号に対してコントラスト、ブライトネス、明度、及び彩度のうち、少なくとも１つ以上の調整を行うことを特徴とする請求項１に記載の映像表示装置。
【請求項６】
前記親画面画質調整部並びに前記子画面画質調整部が、入力された前記映像信号がコンポジット信号であった場合、前記入力映像信号に対して輝度、及び色差のうち、少なくとも１つ以上の調整を行うことを特徴とする請求項１に記載の映像表示装置。
【発明の詳細な説明】
【技術分野】
【０００１】
本発明は、複数の映像信号が入力されると、同一画面上に１つの親画面と複数の子画面とを表示する映像表示装置に関するものであり、特に大画面表示が可能な映像表示装置に適する。
【背景技術】
【０００２】
複数の画面を１つの映像表示装置に表示させる際、画面全体に画質調整を行うと、親画面には適切な補正でも、子画面には補正がかかり過ぎ、子画面が暗くなる問題があった。そこで、それぞれの画面で独立に画質調整を行う映像表示装置が例えば特許文献１、特許文献２などにより、知られている。
【０００３】
特許文献１の映像表示装置では、各画面の白ピーク、黒ピーク、及び平均輝度を検出し、それを基に画面毎に画質調整することで見易い画面を作り出している。
【０００４】
また、特許文献２の映像表示装置では、オートブライトネスリミッタ（ＡＢＬ）、オートコントラストリミッタ（ＡＣＬ）の補正量を各画面の平均輝度レベルに応じて分配することで、各画面に適正な補正電圧を発生させている。これにより、子画面が暗くなりすぎる問題を解決している。
【０００５】
【特許文献１】特開平７−７６８５号公報
【特許文献２】特開平８−２９８６３０号公報
【発明の開示】
【発明が解決しようとする課題】
【０００６】
ところで近年においては、表示装置の大画面化が進んでいる。それに伴って今までにない大きい面積比で親画面と子画面を見ることも可能となっている。このような環境では表示装置全体を見た場合、大きな親画面との対比で子画面は明度、彩度が下がって見えてしまう。これは映像の作者が意図した画面より暗く、ボケて見える原因になってしまう。
【０００７】
この問題は映像の内部情報、つまり白ピーク、黒ピーク、平均輝度などで画質調整を行っても、それらの情報が画面全体での親画面と子画面との対比を考慮していないため、解決できない。
【０００８】
そこで、本発明は、子画面の面積値を画質調整のパラメータとして用いて画質調整し、子画面をより実映像に近い映像として表示できる映像表示装置の提供を目的とするものである。
【課題を解決するための手段】
【０００９】
本発明の映像表示装置は、複数の映像信号が入力されると、それぞれの映像信号を同一画面上に１つの親画面と複数の子画面として表示する映像表示装置であって、入力された前記映像信号を親画面用の映像信号と少なくとも一つ以上の子画面用の映像信号とに分けるスイッチ部と、入力装置から画質調整値、少なくとも1つ以上の子画面の面積値及び位置情報の入力値を受け付ける入力制御部と、前記子画面の面積値から前記映像表示装置の表示画面全体に対する子画面の面積比を算出する面積比演算部と、前記画質調整値を基に前記親画面の画質を調整する親画面画質調整部と、前記画質調整値と前記子画面の面積比とを基に、前記子画面の画質を調整する少なくとも１つ以上の子画面画質調整部と、前記親画面画質調整部により画質調整された前記親画面の映像信号と前記子画面画質調整部により画質調整された少なくとも１つ以上の前記子画面の映像信号とを、前記子画面の位置情報を基に合成する信号合成部と、を備えたことを特徴とする。
【発明の効果】
【００１０】
本発明の映像表示装置は、子画面の面積比がいかなる場合でも、良好な画質で映像を表示できる。
【発明を実施するための最良の形態】
【００１１】
本実施形態が想定する使用例は、以下の通りである。子画面の面積値と位置情報、表示画面全体に対する画質調整値の初期値を表示装置が保有しており、まずはそれに従って表示画面に親画面と子画面が表示される。
【００１２】
ユーザーは子画面の面積値と位置情報、表示画面全体に対する画質調整値をリモコンなどの入力装置から変更可能であり、表示装置は変更された各値に応じて画質調整、及び映像信号の合成を行う。
【００１３】
以下、図１を用いて子画面が２つの場合の実施形態について説明するが、子画面は１つでも３つ以上でも同様に実施できることは明らかである。
【００１４】
本実施形態によれば、表示装置の表示画面には図２のように、親画面２０１の上に、子画面２０２と子画面２０３が表示される。
【００１５】
本発明の映像表示装置は図１に示すように、ＤＶＩ、ＨＤＭＩ端子などから受け取った入力映像信号群１０１を親画面用の映像信号と子画面用の映像信号とに分けるスイッチ部１０２を備えている。また、キーボード、リモコンなどの入力装置１１４からの入力を受け付ける入力制御部１１６を備えている。
【００１６】
また、画質調整値、子画面の面積比、子画面の位置情報の伝送路であるバス１２１と、子画面１及び子画面２の面積比を算出する面積比演算部１１８と、親画面の画質を調整する親画面画質調整部１０６とを備えている。
【００１７】
また、子画面１の画質を調整する子画面１画質調整部１０７と、子画面２の画質を調整する子画面２画質調整部１０８とを備えている。さらには、画質調整後の親画面と子画面１及び子画面２の映像信号を合成し、液晶パネルなどに出力映像信号１１３として渡す信号合成部１１２を備えている。
【００１８】
以下、各機能部について説明する。スイッチ部１０２は入力映像信号群１０１を親画面用の映像信号１０３と子画面１用の映像信号１０４、子画面２用の映像信号１０５とに分類する。
【００１９】
入力制御部１１６は入力装置１１４からの入力値１１５、すなわち画質調整値及び各子画面の位置情報１１９、及び各子画面の面積値１１７を受け取る。そして、画質調整値及び各子画面の位置情報１１９をバス１２１へ送り、各子画面の面積値１１７を面積比演算部１１８へ送る。
【００２０】
入力装置１１４から入力値１１５を受け取るまでは、内部データとして保持している画質調整値、各子画面の位置情報の初期値を、画質調整値及び各子画面の位置情報１１９としてバス１２１へ送る。そして、内部データとして保持している各子画面の面積値の初期値を、各子画面の面積値１１７として面積比演算部１１８へ送る。
【００２１】
面積比演算部１１８は内部データとして表示装置の表示画面全体の面積を保持しており、各子画面の面積値１１７を被除数、前記表示画面全体の面積を除数として除算することで各子画面の面積比１２０を算出し、バス１２１に送る。
【００２２】
入力制御部１１６及び面積比演算部１１８の制御フローチャートを図３に示す。入力装置から値が入力された時、及び初期状態、すなわち新規に入力映像信号群が入力された時に図３の制御フローが発生する。以下、図３に従って制御フローを説明する。
【００２３】
ステップＳ３０１は入力装置１１４から入力値１１５が入力されたどうかを判定する。入力されていればステップＳ３０２へ、入力されていなければステップＳ３０６へ、それぞれ遷移する。
【００２４】
ステップＳ３０２は入力値１１５、すなわち画質調整値及び各子画面の位置情報１１９、及び各子画面の面積値１１７を受け付け、ステップＳ３０３へ遷移する。
【００２５】
ステップＳ３０６は画質調整値及び各子画面の位置情報１１９に内部データである画質調整値及び各子画面の位置情報の初期値を、各子画面の面積値１１７に内部データである各子画面の面積値の初期値をそれぞれ設定し、ステップＳ３０３へ遷移する。
【００２６】
ステップＳ３０３は前記入力値のうち、画質調整値、各子画面の位置情報１１９をバス１２１に送り、ステップＳ３０４へ遷移する。
【００２７】
ステップＳ３０４は各子画面の面積値１１７と内部データの表示画面全体の面積値から、各子画面の面積比１２０を算出し、ステップＳ３０５へ遷移する。
【００２８】
ステップＳ３０５は各子画面の面積比１２０をバス１２１に送り、制御フローを終了する。親画面画質調整部１０６は親画面用の映像信号１０３を、バス１２１から受け取った画質調整値１２２に基づいて画質調整する。
【００２９】
その調整項目は、例えば親画面用の映像信号１０３がコンポーネント信号であった場合、コントラスト、ブライトネス、彩度、明度などが挙げられ、画質調整値１２２に含まれる全ての調整値に関して親画面用の映像信号１０３を調整する。
【００３０】
画質調整値１２２に含まれる調整項目がコントラストとブライトネスであれば、調整後の親画面用の映像信号１０９は、以下の式（１）で表される。
【００３１】
ｙｐ ＝ Ｃ ｘｐ ＋ Ｂ  （１）
【００３２】
ここで「ｙｐ」は調整後の親画面用の信号１０９であり、「ｘp」は調整前の親画面用の信号１０３であり、「Ｃ」は画質調整値１２２が含むコントラスト調整値であり、「Ｂ」は画質調整値１２２が含むブライトネス調整値である。
【００３３】
子画面１画質調整部１０７及び子画面２画質調整部１０８は子画面１用の映像信号１０４及び子画面２用の映像信号１０５を、バス１２１から受け取った画質調整値１２２、子画面１の面積比１２３及び子画面２の面積比１２４に基づいて画質調整する。
【００３４】
子画面１の面積比１２３及び子画面２の面積比１２４は、面積比演算部１１８で算出された各子画面の面積比１２０が含むそれぞれの子画面の面積比である。
【００３５】
その調整項目は、例えば子画面１用の映像信号１０４及び子画面２用の映像信号１０５がコンポーネント信号であった場合、コントラスト、ブライトネス、彩度、明度などが挙げられる。そして、画質調整値１２２に含まれる全ての調整値に関して子画面１用の映像信号１０４及び子画面２用の映像信号１０５を調整する。
【００３６】
画質調整値１２２に含まれる調整項目がコントラストとブライトネスであれば、調整後の子画面１用の映像信号１１０は、以下の式（２）で表される。
【００３７】
ｙｃ ＝ ｆ(Ｃ， Ｎ) ｘｃ ＋ ｇ(Ｂ， Ｎ)  （２）
【００３８】
ここで「ｙｃ」は調整後の子画面１用の映像信号１１０であり、「ｘｃ」は調整前の子画面１用の映像信号１０４であり、「Ｃ」は画質調整値１２２が含むコントラスト調整値であり、「Ｂ」は画質調整値１２２が含むブライト調整値である。また、「Ｎ」は子画面１の面積比１２３であり、「ｆ(Ｃ， Ｎ)」は「Ｃ，Ｎ」から算出される子画面１用のコントラスト調整値であり、「ｇ(Ｂ， Ｎ)」は「Ｂ， Ｎ」から算出される子画面１用のブライト調整値である。
【００３９】
ｆ(Ｃ， Ｎ)， ｇ(Ｂ， Ｎ) は例えば、以下のように表される。
ｆ(Ｃ， Ｎ) ＝ Ｃ(１＋０．１Ｎ)
ｇ(Ｂ， Ｎ) ＝ Ｂ(１＋０．１Ｎ)
【００４０】
調整後の子画面２用の映像信号１１１も子画面１用の映像信号１１０と同様に表される。信号合成部１１２は調整後の各信号１０９、１１０、１１１を各子画面の位置情報１２５を基に合成し、表示装置の表示画面に表示される出力映像信号１１３を作る。
【００４１】
次に本実施形態の効果について説明する。本実施形態によれば、表示画面全体に対する画質調整値とは別に子画面の面積比によって子画面の画質調整がなされ、子画面の面積比がいかなる場合でも、良好な画質で映像を表示できる。
【図面の簡単な説明】
【００４２】
【図１】本発明の実施の形態に係る映像表示装置を示す機能ブロック図である。
【図２】本発明の実施の形態に係る映像表示装置における表示画面を説明するための図である。
【図３】本発明の実施の形態に係る映像表示装置の入力制御、及び面積比演算を説明するためのフローチャートである。
【符号の説明】
【００４３】
１０２  スイッチ部
１０６  親画面画質調整部
１０７  子画面１画質調整部
１０８  子画面２画質調整部
１１２  信号合成部
１１４  入力装置
１１６  入力制御部
１１８  面積比演算部
【図１】
2008042268.tif 000003
【図２】
2008042268.tif 000004
【図３】
2008042268.tif 000005